(57)【要約】【課題】患者の床ずれを防止し、かつ、介護者の身体的負担を軽減できるベッドを提供する。【解決手段】ベッド本体１は、上面Ｔと底面Ｕとを有する。底面Ｕは、ベッド本体１の前後方向に沿って湾曲している前後方向湾曲面Ｃ１を含む。駆動機構２は、ベッド本体１を、ベッド本体１の底面Ｕの湾曲面Ｃ１に沿って、揺動可能とする。静止部３１は、ベッド本体１を、ベッド本体１の上面Ｔが水平面に対して予め定められた傾斜角度となるように、静止させる。【選択図】図１
2017118904.tif 000002
【特許請求の範囲】
【請求項１】
上面と、下方に凸状に湾曲する湾曲面を含む底面とを有するベッド本体と、
上記ベッド本体を、上記ベッド本体の上記底面の上記湾曲面に沿って、揺動可能とする駆動機構と、
上記ベッド本体を、上記ベッド本体の上記上面が水平面に対して予め定められた傾斜角度となるように、静止させる静止部と
を備えることを特徴とするベッド。
【請求項２】
請求項１に記載のベッドにおいて、
上記湾曲面は、上記ベッド本体の前後方向または左右方向の少なくとも一方に沿って、湾曲していることを特徴とするベッド。
【請求項３】
請求項１または２に記載のベッドにおいて、
上記ベッド本体の上記上面の水平面に対する傾斜角度を、予め定められた時間ごとに、変更する角度変更部を備えることを特徴とするベッド。
【請求項４】
請求項１から３の何れか一つに記載のベッドにおいて、
上記ベッド本体上に載置されると共に、袋体と、上記袋体内に配置される複数の粒子体とを有するマットと、
上記マットの上記袋体内に充填される流体の量を調整可能とする充填量調整部と
を備えることを特徴とするベッド。
【請求項５】
請求項４に記載のベッドにおいて、
上記マットは、人体を包囲可能な袋状に形成されていることを特徴とするベッド。
【発明の詳細な説明】
【技術分野】
【０００１】
この発明は、ベッドに関する。
【背景技術】
【０００２】
従来、ベッドとしては、特開平１１−２７６３０５号公報（特許文献１）に記載されたものがある。このベッドは、上半身を載せる前ベッド半体と、下半身を載せる後ベッド半体とを備え、前ベッド半体の前半部の傾斜角度は、変更可能である。そして、自ら上半身を起こすことができない患者に対して、前ベッド半体の前半部を起立させることで、患者の上半身を起こしていた。
【先行技術文献】
【特許文献】
【０００３】
【特許文献１】特開平１１−２７６３０５号公報
【発明の概要】
【発明が解決しようとする課題】
【０００４】
ところで、上記従来のベッドでは、患者の上半身を起こすことは可能であるが、自ら臥位を変えることができない患者に対して、床ずれを防止することは、考慮されていなかった。すなわち、患者の下半身は、長時間、同じ姿勢のままとなり、床ずれが発生する問題があった。また、患者の床ずれを防止するために、介護者は、手作業で、患者の臥位を変えなければならず、介護者の身体的負担が大きかった。
【０００５】
そこで、この発明の課題は、患者の床ずれを防止し、かつ、介護者の身体的負担を軽減できるベッドを提供することにある。
【課題を解決するための手段】
【０００６】
上記課題を解決するため、この発明のベッドは、
上面と、下方に凸状に湾曲する湾曲面を含む底面とを有するベッド本体と、
上記ベッド本体を、上記ベッド本体の上記底面の上記湾曲面に沿って、揺動可能とする駆動機構と、
上記ベッド本体を、上記ベッド本体の上記上面が水平面に対して予め定められた傾斜角度となるように、静止させる静止部と
を備えることを特徴としている。
【０００７】
ここで、この明細書では、上記ベッド本体の上記上面とは、人体が、直接的に、または、マットなどの部材を介して間接的に、横たわる面である。
【０００８】
この発明のベッドによれば、上記駆動機構は、ベッド本体を、ベッド本体の底面の湾曲面に沿って、揺動可能とし、上記静止部は、ベッド本体を、ベッド本体の上面が水平面に対して予め定められた傾斜角度となるように、静止させる。これにより、人体がベッド本体の上面に直接的にまたは間接的に横たわっているとき、ベッド本体を、駆動機構により揺動させ静止部により静止させることで、ベッド本体の上面の全体の傾斜角度を、所定時間ごとに変化させることができる。これにより、人体の全身がベッド本体の上面から直接的にまたは間接的に受ける圧力の分布（大きさや位置）を、所定時間ごとに変化させることができる。
【０００９】
したがって、自ら臥位を変えることができない患者に対して、容易かつ確実に、床ずれを防止できる。また、介護者は、この患者の臥位を、手作業で変える必要がなくなり、介護者の身体的負担を軽減できる。
【００１０】
また、一実施形態のベッドでは、上記湾曲面は、上記ベッド本体の前後方向または左右方向の少なくとも一方に沿って、湾曲している。
【００１１】
ここで、この明細書では、上記ベッド本体の前後方向とは、ベッド本体の長手方向をいい、言い換えると、ベッド本体に仰臥した人体の頭側をベッド本体の前方向とし、かつ、ベッド本体に仰臥した人体の脚側をベッド本体の後方向としたときの、前後方向をいう。上記ベッド本体の左右方向とは、ベッド本体の幅方向をいい、言い換えると、ベッド本体に仰臥した人体の右側をベッド本体の右方向とし、かつ、ベッド本体に仰臥した人体の左側をベッド本体の左方向としたときの、左右方向をいう。
【００１２】
この実施形態のベッドによれば、上記湾曲面は、上記ベッド本体の前後方向または左右方向の少なくとも一方に沿って、湾曲している。これにより、ベッド本体の上面の全体の傾斜角度を、人体の頭から脚に渡る方向または人体の左右の方向の少なくとも一方に沿って、変化させることができ、効率的に床ずれを防止することができる。
【００１３】
また、一実施形態のベッドでは、上記ベッド本体の上記上面の水平面に対する傾斜角度を、予め定められた時間ごとに、変更する角度変更部を備える。
【００１４】
この実施形態のベッドによれば、上記角度変更部は、ベッド本体の上面の水平面に対する傾斜角度を、予め定められた時間ごとに、変更するので、自動的に、床ずれを防止できる。
【００１５】
また、一実施形態のベッドでは、
上記ベッド本体上に載置されると共に、袋体と、上記袋体内に配置される複数の粒子体とを有するマットと、
上記マットの上記袋体内に充填される流体の量を調整可能とする充填量調整部と
を備える。
【００１６】
この実施形態のベッドによれば、上記マットは、袋体と、袋体内に配置される複数の粒子体とを有し、上記充填量調整部は、マットの袋体内に充填される流体の量を調整可能とする。これにより、人体がマットに横たわったとき、充填量調整部によりマットの袋体内の流体の量を適度な量とすることで、マットの形状を人体の形状に沿って変化させることができる。さらに、この状態で、充填量調整部により、マットの袋体内の流体の量を少なくすることで、マットにより人体を包み込みつつ保持することができる。したがって、ベッド本体を傾けても、人体は、マットからずれ落ちない。
【００１７】
また、一実施形態のベッドでは、上記マットは、人体を包囲可能な袋状に形成されている。
【００１８】
この実施形態のベッドによれば、上記マットは、人体を包囲可能な袋状に形成されているので、人体のマットからのずれ落ちを、一層確実に、防止できる。
【発明の効果】
【００１９】
この発明のベッドによれば、上記駆動機構は、ベッド本体を、ベッド本体の底面の湾曲面に沿って、揺動可能とし、上記静止部は、ベッド本体を、ベッド本体の上面が水平面に対して予め定められた傾斜角度となるように、静止させるので、患者の床ずれを防止し、かつ、介護者の身体的負担を軽減できる。
【図面の簡単な説明】
【００２０】
【図１】本発明の第１実施形態のベッドを示す前後方向の断面図である。
【図２】ベッドの左右方向の断面図である。
【図３】ベッド本体を前後方向に傾斜させた状態を示す断面図である。
【図４】ベッド本体を左右方向に傾斜させた状態を示す断面図である。
【図５】本発明の第２実施形態のベッドを示す左右方向の断面図である。
【図６Ａ】マットの袋体に適度な量の空気を充填した状態を示す断面図である。
【図６Ｂ】マットの袋体の空気を抜いた状態を示す断面図である。
【図７】本発明の第３実施形態のベッドを示す左右方向の断面図である。
【発明を実施するための形態】
【００２１】
以下、この発明を図示の実施の形態により詳細に説明する。
【００２２】
（第１の実施形態）
図１は、この発明の第１実施形態のベッドを示す前後方向の断面図である。図２は、このベッドの左右方向の断面図である。図１と図２に示すように、このベッドは、基台４と、基台４上に載置されるベッド本体１と、ベッド本体１上に載置されるマット１５と、ベッド本体１を揺動可能とする駆動機構２と、駆動機構２を制御する制御手段３とを備える。
【００２３】
上記基台４は、床面に設置される。上記ベッド本体１は、上面Ｔと底面Ｕとを有する。ベッド本体１の上面Ｔは、人体Ｈがマット１５を介して間接的に横たわる面である。上記マット１５は、ベッド本体１の上面Ｔに載置される。上記駆動機構２は、ベッド本体１を底面Ｕに沿って、揺動可能とする。上記制御手段３は、駆動機構２を制御して、ベッド本体１の上面Ｔの傾斜角度を調整する。
【００２４】
上記ベッド本体１は、底部１１と、底部１１の上部に固定された上部１２とを有する。上記ベッド本体１の材質は、例えば、金属や樹脂などである。
【００２５】
上記上部１２は、平板状に形成されている。上部１２の上面１２ａは、上記ベッド本体１の上面Ｔに相当する。上面Ｔ（上面１２ａ）は、平坦面である。なお、上部１２は、枠状に形成されていてもよい。
【００２６】
上記底部１１は、卵状または椀状に形成されている。底部１１の下面１１ａは、上記ベッド本体１の底面Ｕに相当する。底面Ｕ（下面１１ａ）は、ベッド本体１の前後方向に沿って湾曲している前後方向湾曲面Ｃ１と、ベッド本体１の左右方向に沿って湾曲している左右方向湾曲面Ｃ２とを含む。
【００２７】
ここで、上記ベッド本体１の前後方向とは、ベッド本体１の長手方向をいい、言い換えると、ベッド本体１に仰臥した人体Ｈの頭側をベッド本体１の前方向とし、かつ、ベッド本体１に仰臥した人体Ｈの脚側をベッド本体１の後方向としたときの、前後方向をいう。上記ベッド本体１の左右方向とは、ベッド本体の幅方向をいい、言い換えると、ベッド本体１に仰臥した人体Ｈの右側をベッド本体１の右方向とし、かつ、ベッド本体１に仰臥した人体Ｈの左側をベッド本体１の左方向としたときの、左右方向をいう。
【００２８】
上記マット１５は、上記ベッド本体１の上部１２の上面１２ａに載置される。マット１５の材質は、例えば、低反発のウレタンやスポンジなどである。マット１５の上面は、人体Ｈが直接的に横たわる面である。
【００２９】
上記駆動機構２は、前後方向駆動部２０と、左右方向駆動部２３と、ローラ２６とを有する。前後方向駆動部２０および左右方向駆動部２３は、ベッド本体１内に配置される。ローラ２６は、ベッド本体１の底部１１の下面１１ａ（ベッド本体１の底面Ｕ）と、基台４との間に配置される。
【００３０】
上記前後方向駆動部２０は、ベッド本体１を、ベッド本体１の底面Ｕの前後方向湾曲面Ｃ１に沿って、揺動可能とする。前後方向駆動部２０は、前後方向に延在する軸部２１と、軸部２１に挿通されるおもり部２２とを有する。軸部２１は、ネジ溝を有し、おもり部２２は、軸部２１のネジ溝に螺合する。おもり部２２は、軸部２１の回転により、前後方向に移動する。そして、おもり部２２が、後方向（図１の右側）に移動すると、ベッド本体１の後部が下がって、ベッド本体１の上面Ｔが傾く。一方、おもり部２２が、前方向（図１の左側）に移動すると、ベッド本体１の前部が下がって、ベッド本体１の上面Ｔが傾く。
【００３１】
上記左右方向駆動部２３は、ベッド本体１を、ベッド本体１の底面Ｕの左右方向湾曲面Ｃ２に沿って、揺動可能とする。左右方向駆動部２３は、左右方向に延在する軸部２４と、軸部２４に挿通されるおもり部２５とを有する。軸部２４は、ネジ溝を有し、おもり部２５は、軸部２４のネジ溝に螺合する。そして、おもり部２５は、軸部２４の回転により、左右方向に移動する。そして、おもり部２５が、右方向（図２の右側）に移動すると、ベッド本体１の右部が下がって、ベッド本体１の上面Ｔが傾く。一方、おもり部２５が、左方向（図２の左側）に移動すると、ベッド本体１の左部が下がって、ベッド本体１の上面Ｔが傾く。
【００３２】
上記前後方向駆動部２０は、上記左右方向駆動部２３の下側に、位置しており、互いに、干渉しない。なお、前後方向駆動部２０が、上記左右方向駆動部２３の上側に、位置するようにしてもよい。
【００３３】
上記ローラ２６は、基台４に回転自在に取り付けられ、ベッド本体１の底部１１の下面１１ａに転動自在に接触する。ベッド本体１は、ローラ２６により、円滑に揺動可能となる。
【００３４】
上記制御手段３は、例えば、コンピュータなどであり、メモリおよびＣＰＵ（中央処理装置）を有する。メモリは、各種機能を実行するためのプログラムやデータを記憶する。ＣＰＵは、メモリに記憶されたプログラムやデータに従って演算処理を行い、各種機能を実行させる。制御手段３は、静止部３１と角度変更部３２とを有する。
【００３５】
上記静止部３１は、ベッド本体１を、ベッド本体１の上面Ｔが水平面に対して予め定められた傾斜角度となるように、静止させる。ここで、予め定められた傾斜角度は、予め準備されたデータから入力されるようにしてもよく、または、操作時に手動で入力されるようにしてもよい。
【００３６】
具体的に述べると、上記静止部３１は、前後方向駆動部２０に信号を送ることで、軸部２１を回転させ、おもり部２２を所定の位置に移動させて、ベッド本体１の上面Ｔの前後方向の水平面に対する傾斜角度を、予め定められた傾斜角度とする。また、上記静止部３１は、左右方向駆動部２３に信号を送ることで、軸部２４を回転させ、おもり部２５を所定の位置に移動させて、ベッド本体１の上面Ｔの左右方向の水平面に対する傾斜角度を、予め定められた傾斜角度とする。
【００３７】
なお、上記静止部３１は、ローラ２６の回転を止めて、ベッド本体１の揺動を止めるようにしてもよい。また、ベッド本体１の揺動を止める図示しないロック機構を設けて、静止部３１からこのロック機構に信号を送るようにしてもよい。
【００３８】
上記角度変更部３２は、静止部３１を介して、ベッド本体１の上面Ｔの水平面に対する傾斜角度を、予め定められた時間ごとに、変更する。ここで、予め定められた時間は、予め準備されたデータから入力されるようにしてもよく、または、操作時に手動で入力されるようにしてもよい。
【００３９】
具体的に述べると、上記角度変更部３２は、予め定められた時間ごとに、静止部３１に信号を送り、静止部３１は、その信号を前後方向駆動部２０に送って、ベッド本体１の上面Ｔの前後方向の水平面に対する傾斜角度を、予め定められた傾斜角度に変更する。また、上記角度変更部３２は、予め定められた時間ごとに、静止部３１に信号を送り、静止部３１は、その信号を左右方向駆動部２３に送って、ベッド本体１の上面Ｔの左右方向の水平面に対する傾斜角度を、予め定められた傾斜角度に変更する。
【００４０】
次に、上記構成のベッドの作用について説明する。
【００４１】
第１に、上記ベッド本体１を前後方向に傾斜させる場合を説明する。図１に示すように、上記ベッド本体１の上面Ｔの水平面に対する傾斜角度が、０°であるとき、予め定められた時間が経過すると、上記角度変更部３２は、静止部３１に、上面Ｔの傾斜角度を変更させる信号を送る。すると、図３に示すように、上記静止部３１は、前後方向駆動部２０に信号を送ることで、軸部２１を回転させ、おもり部２２を矢印に示すように後方向に移動して、ベッド本体１の前部を矢印に示すように上げ、上面Ｔが予め定められた傾斜角度となるように、ベッド本体１を静止させる。
【００４２】
第２に、上記ベッド本体１を左右方向に傾斜させる場合を説明する。図２に示すように、上記ベッド本体１の上面Ｔの水平面に対する傾斜角度が、０°であるとき、予め定められた時間が経過すると、上記角度変更部３２は、静止部３１に、上面Ｔの傾斜角度を変更させる信号を送る。すると、図４に示すように、上記静止部３１は、左右方向駆動部２３に信号を送ることで、軸部２４を回転させ、おもり部２５を矢印に示すように右方向に移動して、ベッド本体１の左部を矢印に示すように上げ、上面Ｔが予め定められた傾斜角度となるように、ベッド本体１を静止させる。
【００４３】
また、上記ベッド本体１を、前後方向に傾斜させてから、左右方向に傾斜させるようにしてもよく、または、上記ベッド本体１を、左右方向に傾斜させてから、前後方向に傾斜させるようにしてもよい。すなわち、ベッド本体１は、前後方向または左右方向の一方に選択的に傾斜される。言い換えると、静止部３１は、前後方向駆動部２０と左右方向駆動部２３とを選択的に駆動させる。
【００４４】
また、上記ベッド本体１を、前後方向かつ左右方向に傾斜させるようにしてもよい。すなわち、ベッド本体１は、平面視、前後方向と左右方向との間の方向に傾斜される。言い換えると、静止部３１は、前後方向駆動部２０と左右方向駆動部２３とを同時に駆動させる。
【００４５】
上記構成のベッドによれば、上記駆動機構２は、ベッド本体１を、ベッド本体１の底面Ｕの湾曲面Ｃ１，Ｃ２に沿って、揺動可能とし、上記静止部３１は、ベッド本体１を、ベッド本体１の上面Ｔが水平面に対して予め定められた傾斜角度となるように、静止させる。これにより、人体Ｈがベッド本体１の上面Ｔにマット１５を介して間接的に横たわっているとき、ベッド本体１を、駆動機構２により揺動させ静止部３１により静止させることで、ベッド本体１の上面Ｔの全体の傾斜角度を、所定時間ごとに変化させることができる。これにより、人体Ｈの全身がベッド本体１の上面Ｔからマット１５を介して間接的に受ける圧力の分布（大きさや位置）を、所定時間ごとに変化させることができる。
【００４６】
したがって、自ら臥位を変えることができない患者に対して、容易かつ確実に、床ずれを防止できる。また、介護者は、この患者の臥位を、手作業で変える必要がなくなり、介護者の身体的負担を軽減できる。
【００４７】
また、上記ベッド本体１は、ベッド本体１の底面Ｕの湾曲面Ｃ１，Ｃ２に沿って、揺動可能であるため、ベッド本体１の上面Ｔの全体の傾斜角度を同一方向にかつ同時に変化させることができ、上半身の傾斜角度と下半身の傾斜角度とを、それぞれ個別に、変化させる必要がない。
【００４８】
また、上記湾曲面Ｃ１，Ｃ２は、上記ベッド本体１の前後方向および左右方向に沿って、湾曲している。これにより、ベッド本体１の上面Ｔの全体の傾斜角度を、人体Ｈの頭から脚に渡る方向および人体Ｈの左右の方向に沿って、変化させることができ、効率的に床ずれを防止することができる。
【００４９】
また、上記角度変更部３２は、ベッド本体１の上面Ｔの水平面に対する傾斜角度を、予め定められた時間ごとに、変更するので、自動的に、床ずれを防止できる。
【００５０】
また、上記湾曲面Ｃ１，Ｃ２は、上記ベッド本体１の前後方向および左右方向に沿って、湾曲している。これにより、ベッド本体１の上面Ｔの全体の傾斜角度を、人体Ｈの頭から脚に渡る方向および人体Ｈの左右の方向に沿って、変化させることができ、効率的に床ずれを防止することができる。
【００５１】
（第２の実施形態）
図５は、この発明の第２実施形態のベッドを示す左右方向の断面図である。この第２の実施形態は、上記第１の実施形態とは、マットの構成のみが相違する。この相違する構成のみを以下に説明する。なお、この第２の実施形態において、上記第１の実施形態と同一の符号は、上記第１の実施形態と同じ構成であるため、その説明を省略する。
【００５２】
図５に示すように、このマット１５Ａは、袋体１６と、上記袋体１６内に配置される複数の粒子体１７とを有する。袋体１６の材質は、例えば、密封性を有し、布や皮や樹脂などである。粒子体１７の材質は、例えば、ポリスチレンなどの発泡ビーズである。袋体１６内には、空気が充填可能である。
【００５３】
上記袋体１６には、充填量調整部としてのエアポンプ５が接続されている。エアポンプ５は、マット１５Ａの袋体１６内に充填される空気の量を調整可能とする。なお、分かりやすくするため、図中、空気をドットで表現している。
【００５４】
次に、上記構成のマット１５Ａの作用について説明する。
【００５５】
図６Ａに示すように、上記マット１５Ａの袋体１６内に適度な量の空気が充填されている場合、マット１５Ａに人体Ｈが横たわると、袋体１６内の粒子体１７が、矢印に示すように、移動して、マット１５Ａが、人体Ｈの形状に沿って、変化する。このとき、マット１５Ａは、柔軟性を有し、人体Ｈを柔らかく包み込む。
【００５６】
その後、図６Ｂに示すように、上記エアポンプ５により、袋体１６内の空気を抜き取ることで、マット１５Ａは、人体Ｈの形状に沿った状態で、固くなる。このとき、マット１５Ａは、人体Ｈの姿勢が変化しないように、人体Ｈを保持する。
【００５７】
なお、図示しないが、上記エアポンプ５により、袋体１６内に充填される空気の量を多くしてもよく、これにより、マット１５Ａにより人体Ｈを押し上げることができる。
【００５８】
上記構成のベッドによれば、上記マット１５は、袋体１６と、袋体１６内に配置される複数の粒子体１７とを有し、上記エアポンプ５は、マット１５の袋体１６内に充填される空気の量を調整可能とする。これにより、人体Ｈがマット１５に横たわったとき、エアポンプ５によりマット１５の袋体１６内の空気の量を適度な量とすることで、マット１５の形状を人体Ｈの形状に沿って変化させることができる。さらに、この状態で、エアポンプ５により、マット１５の袋体１６内の空気の量を少なくすることで、マット１５により人体Ｈを包み込みつつ保持することができる。したがって、ベッド本体１を傾けても、人体Ｈは、マット１５からずれ落ちない。
【００５９】
（第３の実施形態）
図７は、この発明の第３実施形態のベッドを示す左右方向の断面図である。この第３の実施形態は、上記第２の実施形態とは、マットの構成のみが相違する。この相違する構成のみを以下に説明する。なお、この第３の実施形態において、上記第２の実施形態と同一の符号は、上記第２の実施形態と同じ構成であるため、その説明を省略する。
【００６０】
図７に示すように、このマット１５Ｂは、人体Ｈを包囲可能な袋状に形成されている。具体的に述べると、マット１５Ｂは、下半部１５１と、上半部１５２と、下半部１５１と上半部１５２とを包囲して固定するバンド１８とを有する。
【００６１】
上記下半部１５１は、上記上半部１５２の下側に位置する。下半部１５１は、ベッド本体１に仰臥した人体Ｈの背中側を包み込み、上半部１５２は、ベッド本体１に仰臥した人体Ｈの腹側を包み込む。
【００６２】
上記下半部１５１と上記上半部１５２とは、それぞれ、上記第２実施形態のマット１５Ａと同じ構造である。つまり、下半部１５１と上半部１５２とは、それぞれ、袋体１６と粒子体１７とを有する。また、下半部１５１の袋体１６と、上半部１５２の袋体１６とには、それぞれ、上記第２実施形態の充填量調整部としてのエアポンプ５が接続されている。
【００６３】
上記下半部１５１と上記上半部１５２とは、それぞれ、上記第２実施形態のマット１５Ａと同じように作用する。すなわち、下半部１５１に充填される空気の量と上半部１５２に充填される空気の量とを、それぞれ個別に、調整できる。これにより、人体Ｈの背中側と腹側とを、それぞれ、異なる固さで包み込むことができる。
【００６４】
上記構成のベッドによれば、上記第２実施形態の作用効果に加え、さらに、上記マット１５Ｂは、人体Ｈを包囲可能な袋状に形成されているので、人体Ｈのマット１５Ｂからのずれ落ちを、一層確実に、防止できる。
【００６５】
なお、この発明は上述の実施形態に限定されず、本発明の要旨を逸脱しない範囲で設計変更可能である。例えば、上記第１から上記第３の実施形態のそれぞれの特徴点を様々に組み合わせてもよい。
【００６６】
上記第１実施形態では、ベッド本体の上面にマットを載置していたが、例えば、ベッド本体の上面を柔軟性を有する材質とすることで、マットを省略し、人体が、ベッド本体の上面に、直接的に横たわるようにしてもよい。
【００６７】
上記第１実施形態では、ベッド本体の底面の湾曲面は、ベッド本体の前後方向および左右方向に沿って、湾曲していたが、前後方向のみまたは左右方向のみに沿って、湾曲するようにしてもよい。すなわち、底面は、前後方向湾曲面のみまたは左右方向湾曲面のみを含むようにしてもよい。
【００６８】
上記第１実施形態では、駆動機構として、軸部とおもり部を用いたが、油圧シリンダや、空気圧シリンダや、ソレノイドアクチュエータを用いてもよい。
【００６９】
上記第１実施形態では、角度変更部を設けていたが、角度変更部を省略し、介護者が、所定時間ごとに、静止部を制御して、ベッド本体の上面の傾斜角度を変更するようにしてもよい。
【００７０】
上記第２実施形態では、マットの袋体に空気を充填していたが、空気以外の気体を充填してもよい。または、気体でなく液体などの流体を、マットの袋体に充填するようにしてもよく、この場合、充填量調整部としては、流体ポンプを用いる。
【００７１】
上記第３実施形態では、マットの下半部と上半部とを、別体としたが、一体に連続するようにしてもよい。
【符号の説明】
【００７２】
１  ベッド本体
２  駆動機構
３  制御手段
４  基台
５  エアポンプ（充填量調整部）
１１  底部
１２  上部
１５，１５Ａ，１５Ｂ  マット
１６  袋体
１７  粒子体
２０  前後方向駆動部
２１  軸部
２２  おもり部
２３  左右方向駆動部
２４  軸部
２５  おもり部
３１  静止部
３２  角度変更部
Ｃ１  前後方向湾曲面
Ｃ２  左右方向湾曲面
Ｈ  人体
Ｔ  （ベッド本体の）上面
Ｕ  （ベッド本体の）底面
【図１】
2017118904.tif 000003
【図２】
2017118904.tif 000004
【図３】
2017118904.tif 000005
【図４】
2017118904.tif 000006
【図５】
2017118904.tif 000007
【図６Ａ】
2017118904.tif 000008
【図６Ｂ】
2017118904.tif 000009
【図７】
2017118904.tif 000010